(57)【要約】【課題】  個体発光アレイの光源の数を増やすことなく、比較的安価にドット密度を上げる。【解決手段】  個体発光アレイ(1)の発光部(2)のから発光された光束は、結像素子(3)により感光体(4)に結像される。このとき結像素子(3)を光軸と直交する方向(8a)とその逆方向に移動することで、感光体(4)面上でのドット像(5)の位置も移動する。【選択図】  図１
2006198843.tif 000002
【特許請求の範囲】
【請求項１】
複数の発光部を線形に配列させた個体発光素子と、
上記発光部の配列方向に配列した複数の結像素子を含む結像ユニットと、
上記発光部の配列方向と直交する方向に移動する像担持体を有し、
上記発光部より発光された複数の光束を上記結像ユニットによって像担持体面上に結像させることで、像担持体面上にドット像を２次元に形成する画像形成装置において、
上記結像ユニットの一部を往復移動させる駆動手段を有し、
ドット像を上記発光部の配列方向にずらして像担持体面上に形成させることを特徴とする画像形成装置。
【請求項２】
ドット像を上記発光部の配列方向へずらす量を、像担持体面上でのドット像の上記発光部の配列方向における間隔の略２分の１としたことを特徴とする請求項１に記載の画像形成装置。
【請求項３】
上記駆動手段が複数の上記結像素子を一体的に上記発光部の配列方向に往復移動させること特徴とする請求項１または２に記載の画像形成装置。
【請求項４】
複数の上記結像素子を上記発光部の配列方向に一体的に結合した結像素子保持部材を有し、
上記駆動手段が上記結像素子保持部材を上記発光部の配列方向に往復移動させること特徴とする請求項３に記載の画像形成装置。
【請求項５】
複数の上記結像素子保持部材を有し、
上記駆動手段が上記結像素子保持部材を同時に上記発光部の配列方向に往復移動させること特徴とする請求項４に記載の画像形成装置。
【請求項６】
複数の上記結像素子保持部材を有し、
上記駆動手段が上記結像素子保持部材のうち一部の結像素子保持部材を上記発光部の配列方向に往復移動させること特徴とする請求項４に記載の画像形成装置。
【請求項７】
上記結像ユニットは上記発光部からの光束を偏向させる複数のプリズムを含み、
上記駆動手段が上記プリズムを一体的に往復移動させることを特徴とする請求項１または２に記載の画像形成装置。
【請求項８】
上記結像ユニットは上記発光部からの光束を偏向させる複数のプリズムを含み、
上記駆動手段が上記結像素子を一体的に往復移動させることを特徴とする請求項１または２に記載の画像形成装置。
【請求項９】
複数の上記結像素子に対応するように上記発光部の配列方向に複数個配列された楔形プリズムを一体的に保持するプリズム保持部材を少なくとも２つ有し、
上記駆動手段が上記プリズム保持部材のうち１つを上記発光部の配列方向に往復移動させることを特徴とする請求項７に記載の画像形成装置。
【請求項１０】
複数の上記結像素子に対応するように上記発光部の配列方向に複数個配列された楔形プリズムを一体的に保持するプリズム保持部材を少なくとも２つ有し、
上記駆動手段が上記プリズム保持部材を相互に上記発光部の配列方向において逆向きに往復移動させることを特徴とする請求項７に記載の画像形成装置。
【請求項１１】
複数の上記結像素子に対応するように上記発光部の配列方向に複数個配列された楔形プリズムを一体的に保持するプリズム保持部材を２組有し、各プリズム保持部材の傾斜面が上記発光部の配列方向に関して逆向きとなるように、各プリズム保持部材を上記発光部の配列方向とは直交する方向に重ね、
上記発光部からの光束が上記プリズム保持部材の何れかの傾斜面に入射するように、上記駆動手段が上記プリズム保持部材を上記発光部の配列方向とは直交する方向に往復移動させることを特徴とする請求項７に記載の画像形成装置。
【請求項１２】
複数の上記結像素子に対応するように上記発光部の配列方向に複数個配列された楔形プリズムを一体的に保持するプリズム保持部材を２組有し、各プリズム保持部材の傾斜面が上記発光部の配列方向に関して逆向きとなるように、各プリズム保持部材を上記発光部の配列方向とは直交する方向に重ね、
上記発光部からの光束が上記プリズム保持部材の各傾斜面に入射するように、上記駆動手段が上記結像素子を上記発光部の配列方向とは直交する方向に往復移動させることを特徴とする請求項８に記載の画像形成装置。
【請求項１３】
各傾斜面が上記発光部の配列方向に向き合うように組み合わせたＶ字形プリズムを上記発光部の配列方向に複数組配列させたプリズム保持部材を有し、
上記発光部からの光束が上記プリズム保持部材の何れかの傾斜面に入射するように、上記駆動手段が上記プリズム保持部材を上記発光部の配列方向に往復移動させることを特徴とする請求項７に記載の画像形成装置。
【請求項１４】
各傾斜面が上記発光部の配列方向に向き合うように組み合わせたＶ字形プリズムを上記発光部の配列方向に複数組配列させたプリズム保持部材を有し、
上記発光部からの光束が上記プリズム保持部材の何れかの傾斜面に入射するように、上記駆動手段が上記結像素子を上記発光部の配列方向に往復移動させることを特徴とする請求項８に記載の画像形成装置。
【発明の詳細な説明】
【技術分野】
【０００１】
本発明は、複数の発光部が線形に配列された個体発光アレイ(特に、ＬＥＤアレイ)を書き込み用の光源として、各発光部に対応した結像光学系によって感光体面上にドット像を形成する画像形成装置に関する。
【背景技術】
【０００２】
個体発光アレイを用いた画像形成装置の作像部分の一般的な配置例を、図３７に斜視図、図３８に平面図として示す。ここで、個体発光アレイ(1)には複数の発光部(2)が配列されており、各発光部(2)から発光された光束は、それぞれの発光部(2)に対応する結像素子(3)により、感光体面(4)にドット像(5)の配列として形成される。
【０００３】
このときの感光体面(4)でのドット像の配列を図３９に示す。図３９中の左右方向が光源の配列方向である光源配列方向(6)で、図３９中の上下方向が感光体の移動方向である感光体移動方向(7)となる。なお、光源配列方向(6)を主走査方向、感光体移動方向(7)を副走査方向ともいう。
【０００４】
光源配列方向(6)でのドット間隔は、個体発光アレイ(1)の発光部(2)の間隔によって決まる。感光体移動方向(7)のドット間隔は、感光体(4)の移動速度(或いは、走査速度)で決まるが、通常は光源配列方向(6)と感光体移動方向(7)のドット間隔がほぼ等しくなるよう設定されている。
【０００５】
感光体の移動速度を遅くすると、図４０に示すように、感光体移動方向(7)のドット間隔が狭まり、この方向には画素密度すなわち解像力は上がる。
【０００６】
一方、光源配列方向(6)の画素密度を上げるには、個体発光アレイ(1)の発光部(2)の間隔を狭めればよいが、高密度の個体発光アレイを作成するのは困難で、さらに発光部(2)を制御する回路等も高密度化する必要があり、コストの増加に繋がる。
【０００７】
そこで、個体発光アレイ(1)の発光部(2)の間隔を狭めることなく、光源配列方向(6)に画素密度を上げる方法が望まれる。
【０００８】
そのためには、図４１に示すように、感光体(5)の移動速度を半分にするのと同時に、ドット像(5)の配列を１列置きに光源配列方向(6)にずらす。これにより、１列置きに光源配列方向(6)にずれたドット像の配列(11と12)ができ、図４０の例に比べて、両方向に均等で、高密度なドット像が形成される。図４２のように移動量をドット間隔の２分の１程度にしても良い。
【０００９】
ドット像を光源配列方向(6)にずらす手段としては、個体発光アレイ(1)を往復移動させる方法が知られている（特許文献１、２参照）が、個体発光アレイ(1)には高度な配線等が施されており、往復移動、すなわち振動させることにより電気系統の故障などのトラブルを招き易い。なお、他には画素密度を上げるために光源部の近傍に設けた液晶シャッターにより光路を切り替える技術（特許文献３参照）や、感光体を傾斜させる技術（特許文献４参照）などが開示されている。しかし、これらの技術を利用すると感光体に照射される光量が低下する。
【特許文献１】特開平６−１１５１５９号公報
【特許文献２】特開平１１−１０９５１号公報
【特許文献３】特開２０００−２５２６５号公報
【特許文献４】特開平１０−１８１０８６号公報
【発明の開示】
【発明が解決しようとする課題】
【００１０】
上記事情を鑑みて、本発明が解決しようとする課題は、個体発光アレイの光源の数を増やすことなく、比較的安価にドット密度を上げることにある。しかし、個体発光アレイを移動させて個体発光アレイの発光制御回路などの電気系統へ悪影響を与えることがないように留意する必要がある。また、液晶シャッターなどを使い、光量を低下させることがないようにも留意する必要がある。
【課題を解決するための手段】
【００１１】
上記課題を解決するために、本発明の画像形成装置では、個体発光アレイ(1)の代わりに結像素子(3)を含む結像ユニットの一部、または全体を往復運動させることで、ドット像を光源配列方向(6)にずらす発明を創作した。
【００１２】
個体発光アレイの光源を感光体面上に結像させる素子としては、通常の球面または非球面の屈折面を有するレンズのほかに、ＧＲＩＮＮレンズ、ロッドレンズといった屈折率分布型の結像素子などがあるが、本願の説明では単に「結像素子」と呼び、添付されている図中では球面レンズのように描いている。個体発光素子の発光部は非常に小さく、配列密度も高い。これに対応したレンズも通常より極めて小さいため、マイクロレンズと呼ぶ。とくに多数個が配列された状態をマイクロレンズ・アレイと呼ぶ。
【００１３】
図１と図２に、本発明の基本原理を示す。個体発光アレイ(1)の発光部(2)のから発光された光束は、結像素子(3)により感光体(4)に結像される。このとき結像素子(3)を光軸と直交する方向(8aと8b)に移動することで、感光体(4)面上でのドット像(5)の位置も移動する。これによって、図４１と図４２に例を示したような、両方向(6と7)に密度が高くなったドット像が形成される。
【発明の効果】
【００１４】
本発明の画像形成装置は、個体発光アレイの光源の数を増やすことなく、比較的安価にドット密度を上げることができる。
【発明を実施するための最良の形態】
【００１５】
以下、本発明の画像形成装置を実施するための最良の形態を説明する。説明する際には、本明細書と同時に提出する図面を適宜参照することにする。本形態における画像形成装置は複数の光源部(2)を線形に配列させた個体発光素子と、光源部(2)の配列方向に配列した複数の結像素子(3)を含む結像ユニットと、光源部(2)の配列方向と直交する方向に移動する感光体(4)を有し、光源部(2)より発光された複数の光束を上記結像ユニットによって感光体(4)の面上に結像させることで、感光体(4)の面上にドット像を２次元に形成する際に、上記結像ユニットの一部を往復移動させる駆動手段を有し、ドット像を光源部(2)の配列方向にずらして感光体(4)の面上に形成させるものである。なお、以下に書かれた説明では、結像ユニットの一部または全体を往復移動させるための駆動手段を明示していないが、この駆動手段を利用するものとして説明する。微少量を高速で往復移動させる駆動手段としては、ピアゾ素子のような圧電素子、ソレノイドのような電磁コイル、偏心カムモータなどが知られている。
【００１６】
上記画像形成装置において、結像素子(3)を含む結像ユニットの少なくとも一部を、感光体(4)の移動と同期して往復移動させることで、図４１の例に示したように、光源部(2)の配列方向(6)と感光体(4)の移動方向(7)ともにドット像の書き込み密度を上げることができる。また、個体発光アレイを移動させないため、個体発光アレイの発光制御回路などの電気系統への悪影響もなく、液晶シャッターなどを使わないため、光量が低下することもない。
【００１７】
ここで、解像力向上の効果を最大限に活かすため、図４２の例に示すように、光源配列方向(6)へのずらす量を、ドット像間隔の略２分の１とすると良い。
【００１８】
ドット像(5)を光源部配列方向(6)へずらすために、結像ユニットの中の結像素子(3)を一体的に光源部配列方向(6)に往復移動させる。このときの効果は図１と図２の例に示した通りとなるが、複数の光源部(2)に対応して複数の結像素子(3)を有するため、これら複数の結像素子(3)を同方向に同量だけ同時に往復移動させる。結像素子の結像関係を保ちながら往復移動させるため、光学性能を損なうことなくドット密度を上げることができる。
【００１９】
ここで、図３に例を示すように、複数の結像素子(3)を一体的に結合した結像素子保持部材(9)を設ける。図４と図５の例に示すように、この結像素子保持部材(9)を光源の配列方向と同じ方向(8)に往復移動させ、感光体(4)でのドット像の位置(5)を、発光部(2)の配列方向と同じ方向(10aと10b)にずらす。複数の結像素子(3)を効率的に往復移動させることができると同時に、各結像素子の間隔が常に保てるため、比較的に安定した光学性能が得られる。
【００２０】
さらに、図６に例を示すように、複数の結像素子(3aと3b)を一体的に結合した結像素子保持部材(9aと9b)を複数設け、図７の例に示すように、それら複数の結像素子保持部材(9aと9b)を同方向(8aと8b)に同時に往復移動させる。これによってドット像(5)は、光源の配列方向と同じ方向(10)にずれる。
【００２１】
また、図６に例を示すように、複数の結像素子(3aと3b)を一体的に結合した結像素子保持部材(9aと9b)を複数設け、図８の例に示すように、それら複数の結像素子保持部材(9aと9b)のうち一方(9b)を光源の配列方向と同じ方向(8b)に往復移動させる。これによってドット像(5)は、光源の配列方向と同じ方向(10)にずれる。
【００２２】
図６から図８を参照して説明した例では、ともに結像素子保持部材(9aと9b)全体または一部を往復移動させることで同様な効果が得ている。しかし、図７の例のように結像素子保持部材(9aと9b)全体を移動させることで、比較的に少ない往復移動量でも結像ユニット内の結像素子(3aと3b)間の光軸ズレを抑え、結像性能を良好に保つ効果がある。これに対して図８の例のように結像素子保持部材(9aと9b)の一方のみを移動させることで、往復移動に要する機械的な負荷を小さく抑えることができる。
【００２３】
本形態の画像形成装置において、楔形プリズムを用いる。図９に示すように、楔形プリズム(13)では、光束が入射する高さによって、射出する光束のずれ量が異なる。
【００２４】
図１０と図１１に例を示すように、複数の結像素子(3)の各々に対応する複数の楔形プリズム(13)を一体的に往復移動させてドット像(5)を移動させる。結像素子を固定できるので、往復移動による結像性能の劣化が抑えられる。
【００２５】
また、図１０と図１１に示した例と同様に、複数の結像素子(3)を一体的に往復移動させ、各々の結像素子(3)に対応する複数の楔形プリズム(13)への入射高さを変化させドット像(5)を移動させる。すると、各プリズムの間隔を常に保つことができ、比較的に安定した光学性能が得られる。
【００２６】
ここで、図１２と図１３に例を示すように、図９で例を示した楔形プリズム(13aと13b)を一体的に結合したプリズム保持部材(14aと14b)を複数設ける。図１４に例を示すように、結像レンズ(3)を結合した結像素子保持部材(9)に対応するように、各々のプリズム保持部材(14aと14b)の傾斜面が発光部(2)の配列方向において互いに逆向きとなるように配置する。
【００２７】
図１５と図１６に示すように、光源(2)からの光束は結像素子(3)によって収束された後、楔形プリズム(13aと13b)を通り、ドット像(5)を形成する。ここで、プリズム保持部材(14aと14b)のうち一方を移動、または両方を異なる方向(15aと15b)に移動させて、２つのプリズム保持部材(14aと14b)の相対位置を変えると、ドット像(5)の位置も移動する。
【００２８】
プリズム保持部材(14aと14b)のうち一方だけを移動させることで、往復移動に要する機械的な負荷を小さく抑えることができる。
【００２９】
プリズム保持部材(14aと14b)の両方を移動させることで、プリズム往復移動量に比べて比較的に少ない往復移動量でドット像(5)の移動量を大きくする効果が得られる。
【００３０】
また、図１７に示す例のように、楔形プリズム(13a)を一体的に結合したプリズム保持部材(14a)と、図１８に示す例のように、前述プリズム(13a)とは傾斜面の向きが発光部(2)の配列方向に逆となるよう楔形プリズム(13b)を一体的に結合したプリズム保持部材(14b)の２つのプリズム保持部材(14aと14b)を、図１９に例を示すように、光源の配列方向とは直交する方向に重ねたプリズム保持部材(16)を用いる。
【００３１】
まず、結像素子(3)を光源の配列方向とは直交する方向、すなわち感光体(5)の移動方向(7)に往復移動させる。このときの感光体(4)面でドット像(5)が形成される様子を図２０から図２７までの例で説明する。
【００３２】
図２０に例を示すように、結像素子(3)が光源配列方向と直交する上方向(8a)に移動した場合、光束は上方のプリズム(13a)に入射するが、図２１に示すように、このプリズム(13a)は光束を感光体(4)に向かって右方向(図２１では下方向)へ偏向させる。これを斜視したものが図２２で、そのときのドット像(5)を図２３に示す。
【００３３】
次に、結像素子(3)が光源配列方向と直交する下方向(8b)に移動した場合の例を図２４に示す。このとき、光束は上方のプリズム(13b)に入射するが、図２５に示すように、このプリズム(13b)は光束を感光体(4)に向かって左方向(図２５では上方向)へ偏向させる。これを斜視したものが図２６で、そのときのドット像(5)を図２７に示す。このようにすると、プリズムの幅と間隔が小さくできるため、個体発光アレイの発行部の間隔が小さい場合(いわば、高密度タイプ)にも対応でき、またプリズムの移動量も小さくできる。
【００３４】
また、結像素子(3)は移動させず、図２８と図２９の例に示すように、重ねたプリズム保持部材(16)を光源配列方向と直交する方向、すなわち感光体(5)の移動方向(7)に往復移動(15aと15b)させることで、結像素子(3)からの光束が入射するプリズムが上方(13a)と下方(13b)と切り替わる。このときに感光体(4)面でドット像(5)が形成される様子は、図２３と図２７に示したものと同様になる。このようにすると、プリズムの幅と間隔が小さくできるため、半導体発光アレイの発行部の間隔が小さい場合(いわば、高密度タイプ)にも対応でき、また結像素子の移動量も小さくできる。
【００３５】
一方、図３０に例を示すように、２つの楔形プリズムのそれぞれの傾斜面を向かい合わせて結合したＶ字形プリズム(17)を設けると良い。また、図３１に例を示すように、光源配列方向(6)に複数個配置して一体的に結合させたプリズム保持部材(18)を、図３２に例を示すように設けると良い。
【００３６】
このプリズム保持部材(18)を光源配列方向に往復移動(15aと15b)させ、結像素子(3)からの光束が、Ｖ字形プリズム(17)の２つの傾斜面のうち一方に入射させることで、図３３と図３４の例に示すように、感光体(4)でのドット像(5)の位置を移動させている。すると、プリズムが往復移動するときの光路が対称的であるため、それぞれの移動状態間での光学性能の変化が少ない。
【００３７】
結像素子(3)を光源配列方向に往復移動(8aと8b)させ、結像素子(3)からの光束が、Ｖ字形プリズム(17)の２つの傾斜面のうち一方に入射させことで、図３５と図３６の例に示すように、感光体(4)でのドット像(5)の位置を移動さている。すると、結像素子が往復移動するときの光路が対称的であるため、それぞれの移動状態間での光学性能の変化が少ない。
【００３８】
なお、上述した形態は本発明を実施するための最良のものであるが、これに限定する主旨ではない。従って、本発明の要旨を変更しない範囲において種々変形することが可能である。
【産業上の利用可能性】
【００３９】
本発明の画像形成装置を適用したプリンタ、コピー機、ＭＦＰ(Multi Functional Peripheral)などといった製品の開発が望まれる。
【図面の簡単な説明】
【００４０】
【図１】結像素子を移動したときのドット位置を表す図面である。
【図２】結像素子を移動したときのドット位置を表す図面である。
【図３】結像素子保持部材(9)の構成図である。
【図４】結像素子保持部材(9)をしたときのドット位置を表す図面である。
【図５】結像素子保持部材(9)をしたときのドット位置を表す図面である。
【図６】複数の結像素子保持部材(9aと9b)の構成図である。
【図７】複数の結像素子保持部材(9aと9b)の一体的に移動したときのドット位置を表す図面である。
【図８】複数の結像素子保持部材の一方(9b)を移動したときのドット位置を表す図面である。
【図９】楔形プリズム(13)の作用を表す図である。
【図１０】楔形プリズム(13)と結像素子との相対位置関係を表す図面である。
【図１１】楔形プリズム(13)と結像素子との相対位置関係を表す図面である。
【図１２】プリズム保持部材(14a)の構成図である。
【図１３】プリズム保持部材(14b)の構成図である。
【図１４】結像素子保持部材(9)と複数のプリズム保持部材(14aと14b)との相対位置関係を表す図面である。
【図１５】プリズム(13aと13b)を移動させたときのドット位置を表す図面である。
【図１６】プリズム(13aと13b)を移動させたときのドット位置を表す図面である。
【図１７】プリズム保持部材(14a)の構成図である。
【図１８】傾斜面を逆としたプリズム保持部材(14b)の構成図である。
【図１９】重ねたプリズム保持部材(16)の構成図である。
【図２０】結像素子(3)を移動させたときのドット位置を表す図面である。
【図２１】プリズム(13a)による光束の偏向を表す図面である。
【図２２】結像ユニットの斜視図である。
【図２３】ドット像(5)の配列を表す図面である。
【図２４】結像素子(3)を移動させたときのドット位置を表す図面である。
【図２５】プリズム(13b)による光束の偏向を表す図面である。
【図２６】結像ユニットの斜視図である。
【図２７】ドット像(5)の配列を表す図面である。
【図２８】プリズムを移動させたときの光路を表す図面である。
【図２９】プリズムを移動させたときの光路を表す図面である。
【図３０】Ｖ字形プリズム(17)の構成図である。
【図３１】Ｖ字形プリズム保持部材(18)の構成図である。
【図３２】Ｖ字形プリズム(17)と結像素子(3)との相対位置関係を表す図面である。
【図３３】Ｖ字形プリズム(17)を移動させたときのドット位置を表す図面である。
【図３４】Ｖ字形プリズム(17)を移動させたときのドット位置を表す図面である。
【図３５】結像素子(3)を移動させたときのドット位置を表す図面である。
【図３６】結像素子(3)を移動させたときのドット位置を表す図面である。
【図３７】作像部分の一般的な配置例の斜視図である。
【図３８】作像部分の一般的な配置例の平面図である。
【図３９】感光体面(4)でのドット像の配列を表す図面である。
【図４０】感光体面でのドット像の配列を表す図面のうち感光体の移動方向に密なものである。
【図４１】感光体面でのドット像の配列を表す図面のうち両方向に密なものである。
【図４２】移動量が２分の１のときのドット像の配列を表す図面である。
【符号の説明】
【００４１】
１    個体発光アレイ
２    発光部
３    結像素子
４    感光体
５    ドット像の結像位置
６    光源配列方向
７    感光体移動方向
８    結像素子の移動方向
９    結像素子保持部材
１０    ドット像の移動方向
１１    ドット像の配列
１２    ドット像の配列
１３    楔形プリズム
１４    プリズム保持部材
１５    プリズムの移動方向
１６    （２つのプリズム保持部材を重ねた）プリズム保持部材
１７    Ｖ字形プリズム
１８    Ｖ字形プリズム保持部材
【図１】
2006198843.tif 000003
【図２】
2006198843.tif 000004
【図３】
2006198843.tif 000005
【図４】
2006198843.tif 000006
【図５】
2006198843.tif 000007
【図６】
2006198843.tif 000008
【図７】
2006198843.tif 000009
【図８】
2006198843.tif 000010
【図９】
2006198843.tif 000011
【図１０】
2006198843.tif 000012
【図１１】
2006198843.tif 000013
【図１２】
2006198843.tif 000014
【図１３】
2006198843.tif 000015
【図１４】
2006198843.tif 000016
【図１５】
2006198843.tif 000017
【図１６】
2006198843.tif 000018
【図１７】
2006198843.tif 000019
【図１８】
2006198843.tif 000020
【図１９】
2006198843.tif 000021
【図２０】
2006198843.tif 000022
【図２１】
2006198843.tif 000023
【図２２】
2006198843.tif 000024
【図２３】
2006198843.tif 000025
【図２４】
2006198843.tif 000026
【図２５】
2006198843.tif 000027
【図２６】
2006198843.tif 000028
【図２７】
2006198843.tif 000029
【図２８】
2006198843.tif 000030
【図２９】
2006198843.tif 000031
【図３０】
2006198843.tif 000032
【図３１】
2006198843.tif 000033
【図３２】
2006198843.tif 000034
【図３３】
2006198843.tif 000035
【図３４】
2006198843.tif 000036
【図３５】
2006198843.tif 000037
【図３６】
2006198843.tif 000038
【図３７】
2006198843.tif 000039
【図３８】
2006198843.tif 000040
【図３９】
2006198843.tif 000041
【図４０】
2006198843.tif 000042
【図４１】
2006198843.tif 000043
【図４２】
2006198843.tif 000044